(57)【特許請求の範囲】
【請求項１】
外部電源から電力の供給を受ける電源部と、前記電源部を電源として動作する制御部とを備える画像形成装置において、
前記外部電源からの電力の供給をオンオフするスイッチと、
前記電源部への入力電圧を検知する電圧検知手段と、
前記電圧検知手段による検知電圧結果に従ったタイミングで、前記スイッチをオン状態又はオフ状態に切替えるスイッチ切替手段とを有し、
前記電源部には、第１の電圧を出力する第１の電圧回路と、前記第１の電圧よりも低い第２の電圧を出力する第２の電圧回路とが含まれている
ことを特徴とする画像形成装置。
【請求項２】
前記第２の電圧回路を停止させ、前記第１の電圧回路に前記第２の電圧に相当する電圧を出力させるように制御する電力制御手段をさらに有することを特徴とする請求項１に記載の画像形成装置。
【請求項３】
通常よりも低い消費電力で動作する低消費モードとなるタイミングを判断する判断部をさらに有し、
前記電力制御手段は、前記判断部の判断により低消費モードで動作すると判断された場合に、前記第２の電圧回路を停止させ、前記第１の電圧回路に前記第２の電圧に相当する電圧を出力させるように制御する
ことを特徴とする請求項２に記載の画像形成装置。
【請求項４】
前記制御部は、前記第１の電圧により駆動するパワー部と、前記第２の電圧により駆動するロジック部を有しており、
前記電力制御手段は、前記第２の電圧回路を停止させ、前記第１の電圧回路に前記第２の電圧を出力させる際に、前記第１の電圧回路と前記ロジック部とをバイパスさせる
ことを特徴とする請求項３に記載の画像形成装置。
【請求項５】
前記電力制御手段は、前記判断部の判断により低消費モードで動作すると判断された場合に、前記第２の電圧回路と前記ロジック部との間の接続を遮断することを特徴とする請求項４に記載の画像形成装置。
【発明の詳細な説明】
【技術分野】
【０００１】
本発明は、画像形成装置に関し、例えば、通常時よりも消費電力の低い動作モード（以下、「低消費モード」とも呼ぶ）に対応したプリンタに適用し得る。
【背景技術】
【０００２】
従来の電子写真式の画像形成装置では、低消費モードでの動作に対応するものがある。従来の低消費モードに対応した画像形成装置としては、例えば、特許文献１の記載技術がある。
【０００３】
特許文献１に記載の画像形成装置では、低消費モードでの動作する際に、装置内部の制御部へ供給される電源出力電圧を遮断することにより、電源負荷を低負荷あるいは無負荷の状態とし、電源の効率アップを図っている。
【先行技術文献】
【特許文献】
【０００４】
【特許文献１】特開２０１３−１３４５４５号公報
【発明の概要】
【発明が解決しようとする課題】
【０００５】
しかしながら、従来の画像形成装置において、低消費モードで動作する際、電源出力電圧を遮断しても、電源の通電は継続している為、電源の効率アップに限界がある。
【０００６】
そのため、通常よりも低い消費電力で動作する際に、より電源効率を向上させることができる画像形成装置が望まれている。
【課題を解決するための手段】
【０００７】
本発明は、外部電源から電力の供給を受ける電源部と、前記電源部を電源として動作する制御部とを備える画像形成装置において、（１）前記外部電源からの電力の供給をオンオフするスイッチと、（２）前記電源部への入力電圧を検知する電圧検知手段と、（３）前記電圧検知手段による検知電圧結果に従ったタイミングで、前記スイッチをオン状態又はオフ状態に切替えるスイッチ切替手段とを有し、（４）前記電源部には、第１の電圧を出力する第１の電圧回路と、前記第１の電圧よりも低い第２の電圧を出力する第２の電圧回路とが含まれていることを特徴とする。
【発明の効果】
【０００８】
本発明によれば、通常よりも低い消費電力で動作する際に、より電源効率を向上させることができる画像形成装置を提供することができる。
【図面の簡単な説明】
【０００９】
【図１】第１の実施形態に係る画像形成装置の制御及び電源の構成について示したブロック図である。
【図２】第１の実施形態に係る画像形成装置の全体構成を示す概略断面図である。
【図３】第１の実施形態に係る画像形成装置の電源部の構成を示すブロック図である。
【図４】第１の実施形態に係る画像形成装置の動作について示したタイミングチャート（その１）である。
【図５】第１の実施形態に係る画像形成装置の動作について示したタイミングチャート（その２）である。
【図６】第２の実施形態に係る画像形成装置の制御及び電源の構成について示したブロック図である。
【図７】第２の実施形態に係る画像形成装置の電源部の構成を示すブロック図である。
【図８】第２の実施形態に係る画像形成装置の動作について示したフローチャートである。
【図９】第３の実施形態に係る電源部の構成を示すブロック図である。
【図１０】第３の実施形態に係る画像形成装置の動作について示したタイミングチャートである。
【図１１】第４の実施形態に係る電源部の構成を示すブロック図である。
【発明を実施するための形態】
【００１０】
（Ａ）第１の実施形態
以下、本発明による画像形成装置の第１の実施形態を、図面を参照しながら詳述する。以下では、本発明の画像形成装置をプリンタに適用する例について説明する。
【００１１】
（Ａ−１）第１の実施形態の構成
図２は、この実施形態の画像形成装置１００の全体構成を示す概略断面図である。
【００１２】
図２に示すように、画像形成装置１００のハードウェア構成は、画像形成装置１００の構成を示す断面図であり、給紙部１、画像形成部２、定着部３、用紙排出部４に大別される。
【００１３】
以下では、画像形成装置１００の構成について、印刷動作の順で説明を行う。
【００１４】
給紙部１は、用紙をセットする為の用紙カセット５、用紙を給紙するためのピックアップローラ６、７、８、用紙を画像形成部２へ搬送する為のレジストローラ９、１０を有している。
【００１５】
画像形成部２は、カラー印刷装置の場合、プロセス色毎に画像形成ユニットを有している。画像形成部２では、ブラック（以下、「Ｋ」とも呼ぶ）、イエロー（以下「Ｙ」とも呼ぶ）、マゼンダ（以下、「Ｍ」とも呼ぶ）、シアン（以下、「Ｃ」とも呼ぶ）のそれぞれのトナー色ごとに、画像形成ユニット２０１（２０１Ｋ、２０１Ｙ、２０１Ｍ、２０１Ｃ）が配置されている。画像形成部２では、用紙搬送の上流方向（図２の右側）から、画像形成ユニット２０１Ｋ、２０１Ｙ、２０１Ｍ、２０１Ｃの順に配置されている。
【００１６】
そして、各画像形成ユニット２０１は、静電潜像担持体である感光ドラム１１、感光ドラム１１に接触し感光ドラム１１表面に均一に高電圧を帯電させる帯電ローラ１２、感光ドラム１１に接触しトナー担持体である現像ローラ１３、現像ローラ１３に接触しトナーを現像ローラ１３へ供給するトナー供給ローラ１４を有している。また、画像形成部２には、各画像形成ユニット２０１に対して、それぞれ、露光部としてのＬＥＤヘッド１５及び脱着可能なトナーカートリッジ１６（対応する色のトナーが充填されたカートリッジ）が配置されている。さらに、画像形成部２には、感光ドラム１１に形成されたトナー像を用紙へ転写させる転写体である転写ベルト１７、転写ベルト１７を介して感光ドラム１１と当接されている転写ローラ１８が配置されている。
【００１７】
定着部３は、用紙に転写されたトナーを定着させる定着ローラ１９、定着ローラ１９内部には、ハロゲンランプに代表されるヒータ２０、定着ローラ２０の表面温度を検出する為の温度検出センサ２１を有している。温度検出センサ２１は、例えば、サーミスタを適用することができる。
【００１８】
用紙排出部４は、定着が完了した用紙を排出する為の排出ローラ２２を有している。
【００１９】
図１は、この実施形態の画像形成装置１００の制御及び電源の構成について示したブロック図である。
【００２０】
図１に示すように、画像形成装置１００は、制御及び電源に係る構成要素として、電源部５００、メイン制御ブロック７００、サブ制御ブロック９００、各種センサ８００、及びアクチュエータ８０１等を有している。
【００２１】
図３は、電源部５００の詳細構成を示すブロック図である。
【００２２】
電源部５００は、一次スイッチ５０１、ヒータオンオフ回路５０２、ＡＣゼロクロス検出回路５００２、一次整流／平滑回路５０３、一次−二次変換部５０４、電圧フィードバック部２００６、ＤＣ２４Ｖオンオフスイッチ５０５、電圧検出回路５０６、スイッチオンオフ一次回路５０７、スイッチオンオフ二次回路５０８、ＤＣ−ＤＣコンバータ１００００、ブラウンインアウト回路９０００、及びＤＣ２４−５Ｖバイパス回路２００００を有している。この実施形態の例において、電源部５００は、商用電源１０００（交流電源）より出力されるＡＣ電圧にて動作するものとして説明するが、電源部５００の電源は交流電源に限定されないものである。
【００２３】
以下では、電源部５００から見て、メイン制御ブロック７００、サブ制御ブロック９００、アクチュエータ８０１等を含む制御系の構成要素（電力供給先の構成要素）を総称して「制御部」とも呼ぶものとする。また、以下では、電源部５００から見て、メイン制御ブロック７００及びサブ制御ブロック９００で制御処理（信号処理やデータ処理等）を行う構成要素を「ロジック部」とも呼ぶものとする。ロジック部としては、例えば、後述するメイン制御ブロック７００を構成するメイン制御ブロック７００や、後述するサブ制御ブロック９００を構成するサブ制御部９０２等が含まれる。
【００２４】
一次スイッチ５０１は電源部５００の入力側（商用電源１０００側）に配置されるものである。一次スイッチ５０１は、サブ制御部９０２から出力される制御信号（以下、「ＳＬＥＥＰ−Ｐ信号」と呼ぶ）、スイッチオンオフ一次回路５０７、スイッチオンオフ二次回路５０８によりオンオフする。
【００２５】
ヒータオンオフ回路５０２は、メイン制御部７０１から出力されるヒータオンオフ信号により、定着部３内部のヒータ２０をオンオフさせる回路である。
【００２６】
ＡＣゼロクロス検出回路５００２は、商用電源１０００より出力されるＡＣ電圧のゼロクロス点を検出する回路である。ＡＣゼロクロス検出回路５００２は、例えば、整流ダイオード、抵抗、フォトカプラにより構成することができる。なお、ＡＣゼロクロス検出回路５００２において、フォトカプラはＡＣカプラに置き換えるようにしてもよい。
【００２７】
一次整流／平滑回路５０３は、商用電源１０００より供給されるＡＣ電圧を整流し、平滑する回路である。
【００２８】
一次−二次変換部５０４は、メイン制御ブロック７００へＤＣ電圧を供給する。一次−二次変換部５０４は、制御部側（二次側）に対して、ＤＣ２４Ｖを降圧してＤＣ５Ｖとし、ロジック部へ供給することもある。また、一次−二次変換部５０４は、二次側に複数の巻線出力があり、ＤＣ２４Ｖの他にＤＣ電圧を生成するようにしてもよい。
【００２９】
ＤＣ−ＤＣコンバータ１００００は、一次−二次変換部より出力される電圧を降圧する回路であり、ＤＣ２４ＶをＤＣ５Ｖへ降圧している。ＤＣ−ＤＣコンバータ１００００は、ＩＣを使用して構成することができる。この実施形態では、ＤＣ−ＤＣコンバータ１００００の周辺回路を含めて「ＤＣ−ＤＣコンバータ」とも呼ぶものとする。電源部５００より出力されるＤＣ電圧の種類は制御部の構成で決定されることがあり、他にＤＣ３．３Ｖ出力が一般的である。この実施形態では、電源部５００より制御部へ出力される電圧は、ＤＣ２４Ｖ（第１の電圧）とＤＣ５Ｖ（第１の電圧よりも低い第２の電圧）であるものとする。ＤＣ２４Ｖは、アクチュエータ等のパワー部（例えば、後述するアクチュエータ駆動部７１０等を含む）へ出力する電圧であるものとする。また、ＤＣ５Ｖは、ロジック部へ出力する電圧であるものとする。
【００３０】
電源部５００では、一次−二次変換部５０４及びその周辺回路により、主としてＤＣ２４Ｖ（第１の電圧）を出力する第１の電圧回路が構成されている。また、電源部５００では、ＤＣ−ＤＣコンバータ１００００及びその周辺回路により、ＤＣ５Ｖ（第２の電圧）を出力する第２の電圧回路が構成されている。
【００３１】
ブラウンインアウト回路９０００は、ＤＣ−ＤＣコンバータ１００００の入力電圧（つまり、一次−二次変換部５０４の出力電圧）を検出し、所定の閾値にてＤＣ−ＤＣコンバータ１００００（ＤＣ−ＤＣコンバータ１００００のＩＣ）の機能を用いてオンオフさせる機能を担っているものである。
【００３２】
ＤＣ２４−５Ｖバイパス回路２００００は、ＤＣ−ＤＣコンバータ１００００の入出力と、ブラウンインアウト回路９０００との間を接続する回路である。
【００３３】
電圧フィードバック部２００６は、一次−二次変換部５０４より出力される電圧を検出し、一次−二次変換部５０４へ結果をフィードバックする回路である。
【００３４】
ＤＣ２４Ｖオンオフスイッチ５０５は、サブ制御部９０２から出力されるＳＬＥＥＰ−Ｐ信号に応じて、電源部５００から出力されるＤＣ２４Ｖをオンオフするスイッチである。ＤＣ２４Ｖオンオフスイッチ５０５は、例えば、リレーやＦＥＴ（Ｆｉｅｌｄ  Ｅｆｆｅｃｔ  Ｔｒａｎｓｉｓｔｏｒ）等のスイッチング機能を備える部品を用いて構成することができる。
【００３５】
電圧検出回路５０６は一次整流／平滑回路５０３出力の電圧を検出する電圧検知手段として機能する回路である。
【００３６】
スイッチオンオフ一次回路５０７、及びスイッチオンオフ二次回路５０８は、サブ制御部９０２から出力されるＳＬＥＥＰ−Ｐ信号によりオンオフする。また、スイッチオンオフ一次回路５０７、及びスイッチオンオフ二次回路５０８は、電圧検出回路５０６の検出結果によって強制的にオンオフする。
【００３７】
次に、メイン制御ブロック７００の内部構成について説明する。
【００３８】
メイン制御ブロック７００は、メイン制御部７０１、ＲＯＭ７０２、ＲＡＭ７０３、温度検出部７０６、センサオンオフ回路７０７、高圧電源７０８、ヘッド制御部７０９、及びアクチュエータ駆動部７１０を有している。
【００３９】
メイン制御部７０１は、ＲＯＭ７０２（プログラムや設定データを保存している不揮発性の記憶部品）に書き込まれたプログラムによって動作する装置（コンピュータ）である。また、メイン制御部７０１は、時間計測を行うためのカウンタ７１１などを内蔵しているものとする。
【００４０】
ＲＡＭ７０３は、メイン制御部７０１によりデータ保管、読み出しが行われるメモリである。
【００４１】
温度検出部７０６は、定着部６００内部の温度検出センサ２１の出力を抵抗分圧し、メイン制御部７０１へ温度検出信号を出力するものである。
【００４２】
センサオンオフ回路７０７は、後述の各種センサ８００に供給する電源のオン／オフを制御するものである。センサオンオフ回路７０７は、各種センサ８００をオフに制御するセンサオフ信号又は、各種センサ８００をオンに制御するセンサオン信号を出力する。センサオンオフ回路７０７は、電源オン時の装置ウォームアップや、ホスト８０２などの指示により動作する印刷時以外は、基本的に、メイン制御部７０１よりセンサオフ信号が出力する。センサオンオフ回路７０７は、例えば、トランジスタで構成することができる。
【００４３】
高圧電源７０８は、上述の画像形成部２の感光ドラムや各種ローラへ高圧電圧を印加する電源である。ヘッド制御部７０９は、ＬＥＤヘッド１５のオンオフを制御する制御部である。
【００４４】
アクチュエータ駆動部７１０は、メイン制御部７０１より出力されるロジック信号を元に、後述するアクチュエータ８０１へ駆動信号を出力する専用ドライバである。
【００４５】
各種センサ８００には、例えば用紙検出用の図示しない用紙走行路センサ（例えば、給紙部１、画像形成部２、定着部６００、及び用紙排出部４に配設された用紙走行路センサ）や画像濃度、色ずれ補正用のセンサ等が含まれる。
【００４６】
アクチュエータ８０１には、上述のアクチュエータ駆動部７１０により駆動する構成要素（例えば、給紙部１、画像形成部２、定着部６００、及び用紙排出部４等）に配設された図示しないモータ、クラッチ、ソレノイド、空冷用のＦＡＮ等が含まれる。
【００４７】
次に、サブ制御ブロック９００の内部構成について説明する。
【００４８】
サブ制御ブロック９００は、ＤＣ５Ｖオンオフスイッチ９０１、及びサブ制御部９０２を有している。
【００４９】
ＤＣ５Ｖオンオフスイッチ９０１は、サブ制御部９０２から制御部側に供給される制御信号（以下、「ＰＯＷＥＲＯＦＦ−Ｐ信号」と呼ぶ）に応じて、電源部５００から出力されるＤＣ５Ｖをオンオフするものである。ＤＣ５Ｖオンオフスイッチ９０１は、例えば、半導体であるＦＥＴ、トランジスタやリレー等を用いて構成することができる。
【００５０】
サブ制御部９０２は、低消費モードでの動作時に制御処理を行うコンピュータ（例えば、メイン制御ブロック７００よりも小規模なマイクロコンピュータ）であり、低消費モードの１つであるスリープモードを示す信号としてＳＬＥＥＰ−Ｐ信号を出力する。サブ制御部９０２は、例えば、予め設定された時間経過後、または、ユーザが押下するメカスイッチ１００１のオンオフと連動して、低消費モードへの移行を行う。サブ制御部９０２は、例えば、メカスイッチ１００１オンオフにより、スリープモードよりもより低消費電力で動作するパワーオフモード（低消費モード）への移行、復旧が可能となっているものとする。
【００５１】
次に、電源部５００の詳細構成について図３を用いて説明する。
【００５２】
図３に示すように電源部５００は、保護素子２０００、一次スイッチ５０１、フィルタ２００１、フィルタ２０００１、ヒータオンオフ回路５０２、突入防止回路２００２、一次整流／平滑回路５０３、一次−二次変換部５０４、二次整流／平滑回路２００３、ＤＣ５Ｖ保護回路３００００、ＤＣ２４Ｖオンオフスイッチ５０５、ＤＣ２４Ｖ保護回路２００４、二次フィルタ２００５、電圧フィードバック部２００６、ＤＣ−ＤＣコンパータ１００００、ブラウンインアウト回路９０００、ＤＣ２４Ｖ−５Ｖバイパス回路２００００、電圧検出回路５０６、スイッチオンオフ一次回路５０７、スイッチオンオフ二次回路５０８を有している。
【００５３】
保護素子２０００は、商用電源１０００側から入力される過電流を抑制するものであり、例えば、過電流保護用のヒューズや雷サージ保護用のパリスタなどで構成することができる。
【００５４】
一次スイッチ５０１は、電源部５００の入力部に配置される。図３では、一次スイッチ５０１として、常閉接点タイプのリレーを適用した例について図示している。
【００５５】
フィルタ２００１は、一次スイッチ５０１の後段に配置されているフィルタである。
【００５６】
フィルタ２００１は、例えば、図示しないコモンあるいはノーマルチョークコイルとコンデンサで構成することができる。フィルタ２００１に適用するコンデンサとしては、例えばＬＩＮＥ、ＮＥＵＴＲＡＬ間に配置するＸコンと、ＬＩＮＥあるいはＮＥＵＴＲＡＬとＦＧ（フレームグラウンド）間に配置するＹコンで構成することができる。
【００５７】
フィルタ２０００１は、ヒータオンオフ回路５０２の後段に配置されているフィルタである。フィルタ２０００１は、フィルタ２００１と同様の方式により構成することができる。
【００５８】
ヒータオンオフ回路５０２は、定着部３内部のヒータ２０をオン／オフすることにより駆動（通電）し、定着部３内部の温度を所定の目標温度に保持する回路である。ヒータオンオフ回路５０２は、例えば、図示しないトライアックとフォトトライアックで構成することができる。また、ヒータオンオフ回路５０２には、保護用に図示しないリレーを搭載するようにしてもよい。ヒータオンオフ回路５０２は、メイン制御部７０１から出力されるヒータオンオフ信号により、例えば、上述のフォトトライアックをオンオフし、さらに上述のトライアックをオンオフすることにより、定着部３内部のヒータ２０を駆動（通電）することができる。
【００５９】
突入防止回路２００２は、一次整流／平滑回路５０３の電解コンデンサ３００２充電時の突入電流を抑制する回路である。突入防止回路２００２は、例えば、サーミスタを用いることにより安価な構成とすることも可能であるが、その場合サーミスタ高温時に突入電流を抑制できない。そのため、突入防止回路２００２には、例えば、抵抗とスイッチ素子で構成されるトライアックやリレーを組み合わせた回路を適用するようにしてもよい。
【００６０】
一次整流／平滑回路５０３は、整流ダイオード３００１と電解コンデンサ３００２を有している。整流ダイオード３００１は４つのダイオードにより構成されたいわゆるブリッジダイオード（例えば、４素子入りのブリッジダイオード）で構成することができる。
【００６１】
一次−二次変換部５０４は、トランス４００１、メインＦＥＴ４００２、スナバ回路４００３、電源制御部４００４、補助巻線整流平滑回路４００５、及び電圧クランプ回路４００６を有している。
【００６２】
トランス４００１は、一次側、二次側を電気的、物理的に絶縁させ、また、商用電源１０００より入力される電圧を変圧する機能を担っている。
【００６３】
メインＦＥＴ４００２は、トランス４００１の一次側の巻線に供給する電力をオンオフするもの（所謂スイッチングＦＥＴ）である。
【００６４】
スナバ回路４００３は、メインＦＥＴ４００２オフ時のスパイク電圧を抑制する回路である。スナバ回路４００３は、例えば、ファーストリカバリダイオード、抵抗、及びコンデンサを用いて構成することができる。また、スナバ回路４００３では、低消費を目的に、ツェナーダイオードを用いるようにしてもよい。
【００６５】
電源制御部４００４は、主に二次側のＤＣ出力電圧のフィードバック結果を元に、メインＦＥＴ４００２のゲート電圧オンデューティを決定するものである。この実施形態では、電源制御部４００４は、例えば、他励方式のＩＣを用いるものとして説明する。電源制御部４００４としては、例えば、補助巻線電圧を利用し、自励方式にすることも可能である。
【００６６】
補助巻線整流平滑回路４００５は、電源制御部４００４の電源電圧となる補助巻線出力電圧を整流／平滑している。補助巻線整流平滑回路４００５は、例えば、整流ダイオード及び電解コンデンサを用いて構成することができる。
【００６７】
電圧クランプ回路４００６は、補助巻線出力電圧が電源制御の絶対最大定格を超える場合、電圧をクランプする回路である。電圧クランプ回路４００６は、例えば、ツェナーダイオード、整流ダイオード、トランジスタ、及び抵抗等を用いて構成することができる。
【００６８】
二次整流／平滑回路２００３は、トランス４００１の二次側巻線出力電圧を整流／平滑する。図３の例においてトランス４００１は、ＤＣ２４Ｖの１巻線出力、フライバック方式の構成で図示している。二次整流／平滑回路２００３は、例えば、整流ダイオードと電解コンデンサを用いることにより実現することができる。
【００６９】
電圧フィードバック２００６は、二次整流／平滑回路２００３の出力に応じた信号を、電圧フィードバック２００６（電源制御部４００４）にフィードバックするものであり、シャントレギュレータ２１００、フォトカブラ２２００、及びＤＣ２４Ｖ設定電圧変換トランジスタ２３００を有している。
【００７０】
シャントレギュレータ２１００は、基準電圧を持っており、周辺の分圧抵抗により、ＤＣ出力電圧を設定するＩＣで構成することができる。また、シャントレギュレータ２１００は、設定電圧に対して、実際の電圧が上下した場合、フォトカブラ２２００をオンオフさせ、電源制御部４００４へ結果をフィードバックし、ＤＣ２４Ｖ電圧を安定化させている。
【００７１】
ＤＣ２４Ｖ設定電圧変換トランジスタ２３００は、サブ制御部９０２より出力されるＳＬＥＥＰ−Ｐ信号によりオンオフし、シャントレギュレータ２１００の周辺分圧抵抗値を変更することで、ＤＣ出力電圧を変更する。
【００７２】
ＤＣ２４Ｖ保護回路２００４は、ＤＣ２４Ｖとしての出力が所定以上とならないように保護するものである。ＤＣ２４Ｖ保護回路２００４としては、例えば、過電圧検出回路や過電流検出回路を用いて構成することができる。図３では、ＤＣ２４Ｖ保護回路２００４は、電圧フィードバック部２００６の後段に配置されているが、ＤＣ２４Ｖ保護回路２００４が過電圧又は過電流を検出する場合、一次側（例えば、電源制御部４００４）でも過電圧又は過電流を検出してスイッチング等により出力制御を行うことも可能である。ＤＣ２４Ｖ保護回路２００４として過電圧検出回路を適用する場合、当該過電圧保護回路は、例えば、ツェナーダイオードとフォトカプラで構成することができる。この場合、ＤＣ２４Ｖ保護回路２００４が、過電圧を検出すると、一次側の電源制御部４００４により、ラッチあるいは間欠でスイッチング停止させるようにしてもよい。また、ＤＣ２４Ｖ保護回路２００４として、過電流検出回路を適用する場合、当該過電流検出回路は、電流検出回路あるいはＤＣ出力電圧垂下検出回路、ヒューズ等を用いて構成することができる。
【００７３】
ＤＣ２４Ｖの二次側のフィルタ２００５は、例えばＬＣフィルタを用いて構成することができる。フィルタ２００５は、必ずしも搭載が必要ではない。
【００７４】
ＤＣ２４Ｖオンオフスイッチ５０５は、サブ制御部９０２から出力されるＳＬＥＥＰ−Ｐ信号により、ＤＣ２４の二次側の出力をオンオフするスイッチである。ＤＣ２４Ｖオンオフスイッチ５０５は、例えば、スイッチング機能に対応した半導体あるいはリレーで構成することができる。
【００７５】
ＤＣ−ＤＣコンバータ１００００は、二次整流平滑回路２００３のＤＣ２４Ｖ電圧が入力されると、ＤＣ２４Ｖ電圧をＤＣ−ＤＣ変換して、ＤＣ５Ｖ電圧を出力するものである。ＤＣ−ＤＣコンバータ１００００は、例えば、負荷電流に応じた方式（例えば、ドロップタイプかスイッチングタイプのいずれかの方式）及びスイッチング周波数を適用することが望ましい。この実施形態では、ＤＣ−ＤＣコンバータ１００００は、スイッチングタイプであるものとする。また、ＤＣ−ＤＣコンバータ１００００としては、外部端子にオンオフ機能を備えたＤＣ−ＤＣコンバータＩＣを適用するものとする。以下では、ＤＣ−ＤＣコンバータ１００００を構成するＤＣ−ＤＣコンバータＩＣで、オンオフ機能に対応する外部端子を「ＥＮＡＢＬＥ端子」と呼ぶものとして説明する。また、以下では、ＤＣ−ＤＣコンバータ１００００の入力端子を「ＩＮ端子」、出力端子を「ＯＵＴ端子」と呼ぶものとする。
【００７６】
ブラウンインアウト回路９０００は、ブラウンインアウトツェナーダイオード２４００、前段トランジスタ２５００、後段トランジスタ２６００を有しており、後段トランジスタ２６００のコレクタ端子とＤＣ−ＤＣコンバータ１００００（ＥＮＡＢＬＥ端子）が接続される。
【００７７】
ＤＣ２４−５Ｖバイパス回路２００００は、バイパス回路ＦＥＴ２７００、及び整流ダイオード２８００を有している。
【００７８】
バイパス回路ＦＥＴ２７００のドレイン端子、ソース端子は、それぞれ、ＤＣ−ＤＣコンバータのＩＮ端子、ＯＵＴ端子に接続される。バイパス回路ＦＥＴ２７００のゲート端子は、ＤＣ−ＤＣコンバータ１００００のＥＮＡＢＬＥ端子に接続される。
【００７９】
整流ダイオード２８００はバイパス回路ＦＥＴ２７００のドレイン、ソース端子に接続される。また、ＤＣ−ＤＣコンバータ１００００のＯＵＴ端子とバイパス回路ＦＥＴ２７００の間に整流ダイオードを接続する。整流ダイオード２８００としては、ショットキバリアダイオードを適用するようにしてもよい。
【００８０】
ＤＣ５Ｖ保護回路３００００は、ＤＣ５Ｖとしての出力が所定以上とならないように保護するものであり、ＤＣ２４Ｖ保護回路２００４と同様の構成を適用することができる。なお、ＤＣ２４Ｖ保護回路２００４及びＤＣ５Ｖ保護回路３００００を、電源制御部４００４に接続する場合は、図示しないフォトカプラを適用が必要となるが、ＤＣ２４Ｖ保護回路２００４とＤＣ５Ｖ保護回路２０００４の出力を共通で１つとして使用するようにしてもよい。
【００８１】
電圧検出回路５０６は、一次側の電圧を検出するものであり、一次整流／平滑回路５０３の後段に配置されている。電圧検出回路５０６は、ツェナーダイオード６００１及び抵抗６００２、６００３により構成されている。図３では、電圧検出回路５０６を構成するツェナーダイオード６００１を１個としているが、検出電圧に応じて、複数個用いるようにしてもよい。電圧検出回路５０６は、検出電圧に応じた電圧（抵抗分圧された電圧）を「電圧検出出力信号」として出力する。
【００８２】
スイッチオンオフ一次回路５０７は、一次側のスイッチオンオフ回路として機能するものであり、前段トランジスタ７００１、後段７００２、フォトダイオード７００３及び抵抗７００４、７００５を有している。前段トランジスタ７００１、及び後段７００２は、ＮＰＮトランジスタで構成することができる。フォトダイオード７００３は、スイッチオンオフ二次回路５０８のフォトトランジスタ８００２と一体型のフォトカプラとして構成されているものとする。トランジスタ７００２のベースと電圧検出回路５０６の抵抗分圧出力が接続される。
【００８３】
スイッチオンオフ二次回路５０８は、二次側のスイッチオンオフ回路として機能するものであり、トランジスタ８００１、フォトトランジスタ８００２、リレーコイル５１００、及び整流ダイオード５１０２を有している。
【００８４】
トランジスタ８００１は、サブ制御部９０２から出力されるＳＬＥＥＰ−Ｐ信号によりオンオフする。トランジスタ８００１はＮＰＮトランジスタで構成することができる。
【００８５】
リレーコイル５１００は一次スイッチ５０１のリレー接点をオンオフする駆動コイルであり、両端に逆起抑制用に整流ダイオード５１０２が接続されている。リレーコイル５１００はＤＣ５Ｖと接続している。スイッチオンオフ二次回路５０８のトランジスタ８００１のオンオフにより、リレーコイル５１００をオンオフする。また、図３では、一次スイッチ５０１にリレー（リレーコイル５１００により駆動するリレー）を適用するものとして図示しているが、半導体スイッチであるトライアックを適用するようにしてもよい。
【００８６】
一次スイッチ５０１の配置については、電源部５００の保護素子の後段に配置しているが、突入防止回路２００２の後段に配置も可能である。その場合、一次スイッチ５０１は、ピーク回路オンオフ回路の後段にもなる為、一次スイッチ５０１に電解コンデンサ３００２やピークの突入電流が流れず、小容量のスイッチを選択することができる。また、一次スイッチ５０１を一次整流／平滑回路５０３の後段とするようにしてもよい。その場合、一次スイッチ５０１は、リレーやトライアックだけでなく、ＦＥＴなどトランジスタを用いて構成するようにしてもよい。
【００８７】
以上のように、画像形成装置１００では、サブ制御部９０２が、低消費モード（スリープモード又はパワーオフモード）となるタイミングを判断する判断部として機能する。また、この実施形態の画像形成装置１００では、サブ制御部９０２の制御にしたがって低消費モードへの切替えに係る各動作（例えば、各回路やスイッチ等のオンオフ）が制御される構成となっている。以下では、サブ制御部９０２の制御に基づいて、低消費モードに切り替わる際に動作する各構成要素を「電力制御手段」とも呼ぶものとする。第１の実施形態において、スリープモードに移行する際の電力制御手段としては、例えば、一次−二次変換部５０４、電圧フィードバック部２００６、ＤＣ−ＤＣコンバータ１００００、ブラウンインアウト回路９０００、及びＤＣ２４−５Ｖバイパス回路２００００等が含まれる。また、画像形成装置１００がパワーオフモードとなる場合には、サブ制御ブロック９００のＤＣ５Ｖオンオフスイッチ９０１も電力制御手段の一部として機能する。
【００８８】
また、第１の実施形態における画像形成装置１００では、スイッチオンオフ回路（スイッチオンオフ一次回路５０７、スイッチオンオフ二次回路５０８）及びその周辺回路により、電圧検出回路５０６（電圧検知手段）による検知電圧結果（電圧検出出力信号（Ｗ１０５））に従ったタイミングで、一次スイッチ５０１をオン状態又はオフ状態に切替えるスイッチ切替手段が構成されている。
【００８９】
（Ａ−２）第１の実施形態の動作
次に、以上のような構成を有する第１の実施形態の画像形成装置１００の動作を説明する。
【００９０】
以下では、画像形成装置１００について、図４、図５のタイミングチャートを用いて説明する。
【００９１】
以下では、画像形成装置１００は、電源ケーブル接続、メカスイッチオン、ウォームアップ、待機、パワーセーブ、印刷時等の場合、通常モードで動作するものとして説明する。また、画像形成装置１００は、スリープ、パワーオフの各動作モード場合、通常モードよりも少ない消費電力で動作する低消費モード（省電力モード）となるものとして説明する。なお、パワーオフモードは、スリープモードよりもさらに消費電力の少ない動作モードであるものとする。
【００９２】
図４は、画像形成装置１００が通常モードで起動（ウォームアップ）し、待機、パワーセーブ、印刷状態の順で動作した場合のタイミングチャートとなっている。図５は、画像形成装置１００が、パワーセーブ、スリープ、パワーオフの順で動作した場合のタイミングチャートとなっている。
【００９３】
図４、図５では、Ｗ１０１〜Ｗ１１３の１３種類の電圧あるいは電流の波形を示している。図４、図５では、縦軸は電圧、電流、又は対応する構成要素の状態（スイッチのオン／オフの状態や、信号のＨｉ又はＬｏ等）を示しており、横軸は時間を示している。
【００９４】
以下では波形Ｗ１０１〜Ｗ１１３のそれぞれの概要について説明する。
【００９５】
Ｗ１０１は、一次スイッチ５０１の出力電圧（以下、「一次スイッチ出力電圧」と呼ぶ）であり、商用電源１０００より出力されるＡＣ電圧を表している。一次スイッチ５０１は、常時閉状態である。そのため、通常動作時一次スイッチ５０１は、ショート状態となる。
【００９６】
Ｗ１０２は、リレー接点状態（一次スイッチ５０１の状態）を表している。図４、図５では、リレー接点（一次スイッチ５０１）のショート時をＬｏ、オープン時をＨｉで図示している。
【００９７】
Ｗ１０３は、整流／平滑回路の後段の整流／平滑後の出力電圧（以下、「一次整流／平滑出力電圧」と呼ぶ）を表している。一次整流／平滑出力電圧ＡＣ電圧としては、「（ｒｍｓ）Ｘ√２」のＤＣ電圧が出力されるものとする。
【００９８】
Ｗ１０４は、電源部５００の入力部の一次電流の実効値（以下、「一次電流（ｒｍｓ）」と呼ぶものとする）を表している。一次電流（ｒｍｓ）は、画像形成装置１００の動作モードにより、電流値の大小を示している。
【００９９】
Ｗ１０５は、電圧検出回路５０６で抵抗分圧されたトランジスタ７００１（スイッチオフ一次回路５０７）のベース電圧（電圧検出出力信号）を示している。電圧検出出力信号（Ｗ１０５）はＨｉレベル又はＬｏレベルの値に遷移する。
【０１００】
Ｗ１０６は、スイッチオンオフ一次回路５０７のフォトダイオード７００３の電流（以下、「スイッチオンオフカプラ電流」と呼ぶ）を表している。スイッチオンオフカプラ電流（Ｗ１０６）は、Ｈｉレベル又はＬｏレベルの値に遷移する。
【０１０１】
電圧検出出力信号（Ｗ１０５）がＨｉ、つまり、一次整流／平滑回路５０３の電解コンデンサ３００２が充電状態では、フォトダイオード７００３に電流は流れない為、スイッチオンオフカプラ電流（Ｗ１０６）はゼロ（Ｌｏレベル）となる。そして、電解コンデンサ３００２が放電状態となり、電圧検出出力信号（Ｗ１０５）が後述の電圧Ｖ１まで垂下した場合、スイッチオンオフカプラ電流（Ｗ１０６）はＨｉとなる。
【０１０２】
Ｗ１０７は、一次−二次変換部５０４の電源制御部４００４よりメインＦＥＴ４００２に出力（供給）される電圧（以下、「メインＦＥＴゲート電圧」と呼ぶ）を示している。電源制御部４００４は、低負荷時スイッチング動作が間欠動作になるように構成されている。そして、電源制御部４００４は、画像形成装置１００の動作モード（すなわち、一次電流（ｒｍｓ）（Ｗ１０４））が変化することにより、スイッチング間欠周期が変化するように構成されているものとする。
【０１０３】
Ｗ１０８は、サブ制御部９０２より出力されるＳＬＥＥＰ−Ｐ信号である。ＳＬＥＥＰ−Ｐ信号（Ｗ１０８）は、Ｈｉレベル又はＬｏレベルのいずれかの値に遷移する。サブ制御部９０２は、通常モード動作時はＬｏレベルを出力し、低消費モード（スリープモード又はパワーオフモード）時はＨｉレベルを出力する。
【０１０４】
Ｗ１０９は、ＤＣ−ＤＣコンバータ１００００のＩＮ端子に入力される電圧、言い換えると、二次整流平滑回路２００３の出力電圧（以下、「ＤＣ−ＤＣ入力電圧」と呼ぶ）である。
【０１０５】
Ｗ１１０は、ＤＣ−ＤＣコンバータ１００００のＥＮＡＢＬＥ端子に入力される電圧（以下、「ＤＣ−ＤＣ／ＥＮＡＢＬＥ端子電圧」と呼ぶ）である。
【０１０６】
Ｗ１１１は、バイパス回路ＦＥＴ２７００（ＤＣ２４−５Ｖバイパス回路２００００）のゲート電圧（以下、「バイパスＦＥＴゲート電圧」と呼ぶ）である。
【０１０７】
Ｗ１１２は、電源部５００から制御部へのＤＣ５Ｖの電圧出力（以下、「ＤＣ５Ｖ出力」と呼ぶ）を示している。
【０１０８】
Ｗ１１３は、電源部５００から制御部へのＤＣ２４Ｖの電圧出力（以下、「ＤＣ２４Ｖ出力」と呼ぶ）を示している。
【０１０９】
次に、横軸のタイミング（ｔ１）〜（ｔ６）の順に動作説明を行う。
【０１１０】
[タイミング（ｔ１）]
タイミング（ｔ１）の時点にて、商用電源１０００と電源部５００を接続する為の図示しない電源ケーブル接続等により、電源オン状態となったものとする。
【０１１１】
この時点で、リレー接点（Ｗ１０２）は、ショート状態の為、一次整流／平滑出力電圧（Ｗ１０３）は商用ＡＣ電圧のピーク値（以下、当該電圧値を「Ｖ０」と呼ぶ）まで上昇し、電解コンデンサ３００２は充電状態となる。ここで、一次電流（ｒｍｓ）（Ｗ１０４）は、電解コンデンサ３００２が充電に至るまでの区間は、突入防止回路で抑制された電流が流れる。突入電流が流れる時間は、条件にもよるが、数ｍｓオーダーである。また、一次整流／平滑出力電圧（Ｗ１０３）がある閥値に達した場合、電圧検出出力信号（Ｗ１０５）は、Ｈｉレベルへ切り替わる。さらに、ＤＣ５Ｖ出力（Ｗ１１２）立上り前は、トランジスタ７００２のベース電流を決める補助巻線整流平滑回路４００５出力電圧がゼロであり、スイッチオンオフカプラ電流（Ｗ１０６）は流れない（ゼロとなる）。補助巻線電圧は、ＤＣ２４Ｖ二次巻線と一次補助巻線の巻線比率で決まる。ＤＣ５Ｖ出力（Ｗ１１２）の立上り後も電圧検出出力信号（Ｗ１０５）がＨｉレベルの為、スイッチオンオフカプラ電流（Ｗ１０６）は流れない。
【０１１２】
メインＦＥＴゲート電圧（Ｗ１０７）は、電源制御部４００４起動後に、出力開始となる。このとき、電源制御部４００４は、スイッチング周波数やオンデューティを制限したソフトスタートで起動させることが望ましい。さらに、ＳＬＥＥＰ−Ｐ信号（Ｗ１０８）は、起動時はＬｏレベル出力とする。さらにまた、ＤＣ−ＤＣ入力電圧（Ｗ１０９）は、メインＦＥＴゲート電圧（Ｗ１０７）出力により、スイッチングを開始し、上昇し始める。また、電圧フィードバック部２００６のシャントレギュレータ２１００により電圧検出し、ＤＣ２４Ｖ設定電圧より上下した場合、フォトカブラ２２００をオンオフさせ、検出結果を電源制御部４００４ヘフィードバックさせ、ＤＣ２４Ｖ出力（Ｗ１１３）を安定化させている。
【０１１３】
起動時はブラウンインアウトツェナーダイオード２４００のツェナー電圧に達するまでは前段トランジスタ２５００がオフであるため、ＤＣ−ＤＣ／ＥＮＡＢＬＥ端子電圧（Ｗ１１０）はＬｏレベルとなる。
【０１１４】
バイパス回路ＦＥＴ２７００では、ＤＣ−ＤＣ入力電圧（Ｗ１０９）とＤＣ−ＤＣ／ＥＮＡＢＬＥ端子電圧（Ｗ１１０）の電位差と、バイパス回路ＦＥＴ２７００周辺の分圧抵抗比により、ゲート閾値が決まる。起動時は、ＤＣ−ＤＣ入力電圧立ち上がり時間より、バイパス回路ＦＥＴ２７００の周辺抵抗、コンデンサで決定される時定数を遅くすることにより、バイパスＦＥＴゲート電圧（Ｗ１１１）が閾値を超えないように設定することが望ましい。よって、バイパスＦＥＴゲート電圧（Ｗ１１１）は、ＤＣ−ＤＣ入力電圧（Ｗ１０９）の上昇と共に、上昇するが、閾値には達しない。
【０１１５】
この時点では、ＤＣ−ＤＣ／ＥＮＡＢＬＥ端子電圧（Ｗ１１０）がＬｏレベルの為、ＤＣ−ＤＣコンバータが起動しない。そのため、この時点でＤＣ５Ｖ出力（Ｗ１１２）は０Ｖの状態となる。
【０１１６】
[タイミング（ｔ２）]
その後、タイミング（ｔ２）の時点で、ＤＣ５Ｖ出力（Ｗ１１２）が定常状態まで達したものとする。ＤＣ５Ｖ出力（Ｗ１１２）が定常状態まで達すると、サブ制御部９０２は、ＳＬＥＥＰ−Ｐ信号としてＨｉレベルを出力する。例えば、制御部側に図示しないリセットＩＣを搭載し、当該リセットＩＣによるリセット機能を利用し切り替えるようにしてもよい。ＳＬＥＥＰ−Ｐ信号（Ｗ１０８）出力をＨｉレベルとすることにより、電圧フィードバック部２００６のシャントレギュレータ分圧抵抗を変更するＤＣ２４Ｖ設定電圧変換トランジスタ２３００がオンし、ＤＣ２４Ｖ設定電圧を変更する。当該設定電圧は任意で構わないが、この実施形態では例として、ＤＣ５．２５Ｖとする。ＤＣ２４Ｖ設定電圧をＤＣ５．２５Ｖ設定電圧へ変更することで、ＤＣ−ＤＣ入力電圧（Ｗ１０９）はＤＣ５．２５Ｖに保持される。ＤＣ−ＤＣ／ＥＮＡＢＬＥ端子電圧（Ｗ１１０）は、後述するブラウンインアウトツェナーダイオード２４００のツェナー電圧をＤＣ５．２５Ｖより上に設定している為、この時点ではＬｏレベルとなる。
【０１１７】
バイパスＦＥＴゲート電圧（Ｗ１１１）は、ＤＣ−ＤＣ入力電圧（Ｗ１０９）の立ち上がり時間より長く設定している為、タイミング（ｔ２）の時点の後にＨｉレベルとなる。
【０１１８】
バイパス回路ＦＥＴ２７００がオンすることで、ＤＣ５Ｖ出力（Ｗ１１２）として、ＤＣ−ＤＣ入力電圧（Ｗ１０９）であるＤＣ５．２５Ｖが出力される。
【０１１９】
スイッチオンオフ二次回路５０８のトランジスタ８００１がオンとなり、リレーコイル５１００に必要電流が流れ、リレー接点（Ｗ１０２）オープンとなる。リレーコイル５１００の抵抗値とリレーコイル５１００の両端電圧により、必要電流は決定される。
【０１２０】
一次スイッチ出力電圧（Ｗ１０１）は、一次スイッチ５０１がオープンとなる為、ゼロとなる。
【０１２１】
一次整流／平滑出力電圧（Ｗ１０３）は、一次スイッチ５０１がオープンの為、垂下していく。なお、タイミング（ｔ２）からタイミング（ｔ３）までは、後述するパワーオフモードと同じ状態である。
【０１２２】
[タイミング（ｔ３）]
タイミング（ｔ３）の時点にて、ユーザがメカスイッチ１００１を押下し、サブ制御部９０２は、ＳＬＥＥＰ−Ｐ信号としてＬｏレベルを出力する。そして、スイッチオンオフ二次回路５０８のトランジスタ８００１がオフとなり、リレーコイル５１００への電圧印加が遮断され、リレー接点（Ｗ１０２）がショート状態（Ｌｏ）となり、一次スイッチ出力電圧（Ｗ１０１）がオンとなる。
【０１２３】
タイミング（ｔ３）の時点にて、整流／平滑回路５０３の電解コンデンサ３００２が充電され、一次整流／平滑出力電圧（Ｗ１０３）がＶ０まで上昇する。一次電流（ｒｍｓ）（Ｗ１０４）は、ウォームアップ開始により、メイン制御部７０１よりヒータオンオフ信号が出力され、定着部３内部のピーク通電が開始、メイン制御部７０２よりアクチュエータ８０１が動作開始することで増加する。また、前述のタイミング（ｔ１）の時点の突入電流と同様に、タイミング（ｔ３）の時点でも突入電流が発生する。これは、定着部３の熱源がハロゲンで且つコールドスタートの場合の特性である。この場合、ハロゲンの抵抗特性上、抵抗値が低い為、突入電流が発生する。防止方法としては、例えば、商用電源１０００より出力されるＡＣゼロクロス信号をメイン制御部７０１へ出力する。そして、メイン制御部７０１によりヒータオンタイミングをＡＣ電圧位相角の９０〜１８０°の間に設定してオンオフし、突入電流を抑制するようにしてもよい。
【０１２４】
電圧検出出力信号（Ｗ１０５）はＨｉレベルを保持し、スイッチオンオフカプラ電流（Ｗ１０６）は０Ａとなる。メインＦＥＴゲート電圧（Ｗ１０７）は、ゲート出力オフ期間がなくなり、且つスイッチングオンデューティが高い状態となる。
【０１２５】
ＳＬＥＥＰ−Ｐ信号（Ｗ１０８）がＬｏレベルとなると、電圧フィードバック部２００６のシャントレギュレータ分圧抵抗を変更するＤＣ２４Ｖ設定電圧変換トランジスタ２３００がオフし、設定電圧がＤＣ５．２５ＶからＤＣ２４Ｖに変更されることになる。これにより、ＤＣ−ＤＣ入力電圧（Ｗ１０９）は、ＤＣ２４Ｖまで上昇し、保持されることになる。
【０１２６】
ＤＣ−ＤＣ／ＥＮＡＢＬＥ端子電圧（Ｗ１１０）は、ＤＣ−ＤＣ入力電圧（Ｗ１０９）が５．５Ｖに達した時点で、Ｈｉレベルとなる。これは、ブラウンインアウトツェナーダイオード２４００のツェナー電圧を５．５Ｖとした場合である。すなわち、前段トランジスタ２５００がオン、後段トランジスタ２６００がオフとなり、ＤＣ−ＤＣ／ＥＮＡＢＬＥ端子電圧（Ｗ１１０）が、抵抗を介してＤＣ−ＤＣ入力電圧（Ｗ１０９）と同電位になることを示している。ツェナー電圧は任意であり、使用するＤＣ−ＤＣコンバータ１００００のＥＮＡＢＬＥ機能、周辺定数により決定することが望ましい。
【０１２７】
ＤＣ−ＤＣ／ＥＮＡＢＬＥ端子電圧（Ｗ１１０）がＨｉレベルになることにより、電位差がゼロになる為、バイパスＦＥＴゲート電圧（Ｗ１１１）はＬｏレベルとなる。
【０１２８】
ＤＣ−ＤＣ／ＥＮＡＢＬＥ端子電圧（Ｗ１１０）がＨｉレベルになることで、ＤＣ−ＤＣコンバータ１００００が起動する。これにより、ＤＣ５Ｖ出力（Ｗ１１２）が起動開始し、ＤＣ５Ｖ出力（Ｗ１１２）の出力状態が保持される。
【０１２９】
ＳＬＥＥＰ−Ｐ信号がＬｏレベルとなることにより、ＤＣ２４Ｖオンオフスイッチ５０５がオンし、ＤＣ２４Ｖ出力（Ｗ１１３）が出力される。
【０１３０】
[タイミング（ｔ４）]
その後、タイミング（ｔ４）の時点にて、画像形成装置１００は、ウォームアップ動作を完了し、待機モードに移行することになる。待機モード移行により、一次電流（ｒｍｓ）（Ｗ１０４）が低下する。
【０１３１】
具体的には、メイン制御部７０１にてアクチュエータ系を停止させ、且つ使用しないセンサ系を停止させる。定着部３については、印刷指示後のウォームアップ時間短縮後を考慮し、ピーク温度設定を変更し、ヒータオンオフ制御は継続する。そして、アクチュエータ系が停止し、大幅にＤＣ負荷電流（メインＦＥＴ４００２の出力電流）が低下となる為、ウォームアップ時に対して、メインＦＥＴゲート電圧（Ｗ１０７）のゲート出力オフ期間が長くなる。これは、フォトカブラ２２００（電圧フィードバック部２００６）の出力電圧値により、電源制御部４００４が連続発振から間欠発振に切り替わることを示している。
【０１３２】
[タイミング（ｔ５）]
その後、タイミング（ｔ５）の時点にて、画像形成装置１００は、メイン制御部７０１の制御やサブ制御部９０２等の制御によりパワーセーブモードに移行したものとする。画像形成装置１００において、待機モードからパワーセーブモードへ移行する時間は、例えば、図示しないオペレーションパネルにより任意に設定変更可能とするようにしてもよい。
【０１３３】
パワーセーブモード移行により、一次電流（ｒｍｓ）（Ｗ１０４）は、更に低下する。パワーセーブモード時の動作としては、待機モードに対して定着部３のヒータ２０をオフ（ヒータオフ）としている点が異なる。メインＦＥＴゲート電圧（Ｗ１０７）については、ヒータオフ以外の動作は同一の為、待機モード時と同様である。
【０１３４】
[タイミング（ｔ６）]
タイミング（ｔ６）の時点にて、ホスト８０２などから印刷指示が発生した場合、画像形成装置１００は、印刷モードに移行することになる。
【０１３５】
一次電流（ｒｍｓ）（Ｗ１０４）は、各モードで最大値を示すことになる。
【０１３６】
図１１ではパワーセーブモード時に印刷指示としている為、前述のピークがコールドスタート状態となり、ピーク突入電流も発生する。
【０１３７】
メインＦＥＴゲート電圧（Ｗ１０７）は、ゲート出力オフ期間がなくなり、且つスイッチングオンデューティが高い状態となる。
【０１３８】
次に、図５を用いて、画像形成装置１００が、パワーセーブモードからスリープモードとなり、さらにその後パワーオフモードとなる動作について説明する。図５は、画像形成装置１００において、図４のタイミング（ｔ６）で印刷が発生せず、パワーセーブモードが継続した状態から始まるタイミングチャートとなっている。
【０１３９】
[タイミング（ｔ７）]
タイミング（ｔ７）の時点まで、前述のパワーセーブモードで印刷指示が発生しなかったため、画像形成装置１００は、スリープモードに移行を開始したものとする。画像形成装置１００において、パワーセーブモードからスリープモードへ移行する時間は限定されないものであるが、例えば、図示しないオペレーションパネルにより任意に設定変更可能とするようにしてもよい。
【０１４０】
タイミング（ｔ７）で、電源部５００のスイッチオンオフ二次回路５０８のトランジスタ８００１がオンし、リレーコイル５１００が通電状態となり、一次スイッチ５０１がオープンとなる。よって、この時点で、リレー接点（Ｗ１０２）がオープン状態となり、一次スイッチ出力電圧（Ｗ１０１）が０Ｖ（つまり遮断状態）となり、一次電流（ｒｍｓ）（Ｗ１０４）が０Ａとなり、装置ＡＣ消費電力が０Ｗの状態となる。
【０１４１】
ＤＣ負荷電流がパワーセーブ時よりも更に下がり、それにともなって、メインＦＥＴゲート電圧（Ｗ１０７）も低下する。そして、ＤＣ負荷電流が低下すると、後述のＤＣ−ＤＣコンバータ１００００をオフとし、ＤＣ５Ｖ出力（Ｗ１１２）がＤＣ５．２５Ｖ電圧となる。
【０１４２】
ＳＬＥＥＰ−Ｐ信号（Ｗ１０８）がＨｉレベルとなることによりＤＣ２４Ｖオンオフスイッチ５０５がオフとなり、メイン制御部７０１へのＤＣ２４Ｖ出力（Ｗ１１３）を遮断する。これにより、電源部５００の消費電力も下がり、ゲート電圧オフ期間（メインＦＥＴゲート電圧（Ｗ１０７）のオフ期間）が長くなる。
【０１４３】
電圧フィードバック部２００６のシャントレギュレータ分圧抵抗を変更するＤＣ２４Ｖ設定電圧変換トランジスタ２３００がオンし、ＤＣ２４Ｖ設定電圧をＤＣ５．２５Ｖ設定電圧へ変更することで、ＤＣ−ＤＣ入力電圧（Ｗ１０９）は、ＤＣ５．５Ｖへ垂下し、保持状態となる。
【０１４４】
「ブラウンインアウトツェナーダイオード２４００のツェナー電圧（＝５．５Ｖ）＞ＤＣ−ＤＣ入力電圧（Ｗ１０９）（＝５．２５Ｖ）」となることで、前段トランジスタ２５００がオフし、後段トランジスタ２６００がオンする。これにより、ＤＣ−ＤＣ／ＥＮＡＢＬＥ端子電圧（Ｗ１１０）は、Ｌｏレベルとなる。
【０１４５】
タイミング（ｔ７）以後、ＤＣ−ＤＣ／ＥＮＡＢＬＥ端子電圧（Ｗ１１０）がＬｏレベルになることで、バイパスＦＥＴゲート電圧（Ｗ１１１）は、ゲート閥値まで達する。
【０１４６】
また、タイミング（ｔ７）以後、バイパス回路ＦＥＴ２７００がオンすることで、ＤＣ５Ｖ出力（Ｗ１１２）として、ＤＣ−ＤＣ入力電圧（Ｗ１０９）であるＤＣ５．２５Ｖが出力される。
【０１４７】
さらにまた、タイミング（ｔ７）以後、ＳＬＥＥＰ−Ｐ信号がＨｉレベルを出力することにより、ＤＣ２４Ｖオンオフスイッチ５０５がオフする。これにより、ＤＣ２４Ｖ出力（Ｗ１１３）は、垂下していく。
【０１４８】
[タイミング（ｔ８）]
その後、タイミング（ｔ８）の時点で、一次整流／平滑出力電圧（Ｗ１０３）がＶ１に到達すると、電圧検出出力信号（Ｗ１０５）がＨｉレベルからＬｏレベルに切り替わる。ここで、Ｖ１については、電源制御部４００４のブラウンアウトあるいはＵＶＰ（下限電圧保護）より高い電圧値となるように設定することで、スイッチングが完全停止せず、かつ、ＤＣ出力電圧が垂下することなく、安定したＤＣ電圧を出力し続けることが可能となる。電圧検出回路５０６を構成するツェナーダイオード６００１のツェナー電圧＝Ｖ１となるようにツェナーダイオードを選択することが望ましい。前述の通り、図３に示す電圧検出回路５０６では、ツェナーダイオード６００１を一つ実装しているが、直列に複数実装するようにしてもよい。
【０１４９】
電圧検出出力信号（Ｗ１０５）がＬｏレベルに切り替わり、スイッチオンオフ一次回路５０７のトランジスタ７００１がオフとなり、トランジスタ７００２がオンし、フォトダイオード７００３に電流が流れる。つまり、この時点で、スイッチオンオフカプラ電流（Ｗ１０６）がＨｉレベルとなる。フォトダイオード７００３がオンすることで、スイッチオンオフ二次回路５０８のフォトトランジスタ８００２がオンし、ＳＬＥＥＰ−Ｐ信号（Ｗ１０８）出力を強制的にＬｏレベルとし、リレーコイル５１００が非通電状態となり、一次スイッチ５０１がオンとなる。つまり、この時点で、リレー接点（Ｗ１０２）がショート状態となり、一次スイッチ出力電圧（Ｗ１０１）が復旧し、一次整流／平滑出力電圧（Ｗ１０３）が上昇する。そして、一次電流（ｒｍｓ）（Ｗ１０４）は充電までの時間消費されることになる。
【０１５０】
[タイミング（ｔ９）]
その後、タイミング（ｔ９）の時点にて、一次整流／平滑出力電圧（Ｗ１０３）がＶ１を超えると、電圧検出出力信号（Ｗ１０５）がＨｉレベルに切り替わり、スイッチオンオフ一次回路５０７のトランジスタ７００１がオンとなり、トランジスタ７００２がオフし、フォトダイオード７００３がオフとなる。つまり、この時点で、スイッチオンオフカプラ電流（Ｗ１０６）がＬｏレベルとなり、スイッチオンオフ二次回路５０８のフォトトランジスタ８００２がオフし、ＳＬＥＥＰ−Ｐ信号（Ｗ１０８）がサブ制御部９０２の指示通りＨｉレベルとなり、リレーコイル５１００が通電状態となり、一次スイッチ５０１がオフとなる。さらに、この時点で、リレー接点（Ｗ１０２）がオープンとなり、一次スイッチ出力電圧（Ｗ１０１）がオフとなる。これはタイミング（ｔ７）と同様の動作である。以後、画像形成装置１００は、スリープモードを維持する間、タイミング（ｔ８）〜（ｔ９）と同様の動作を繰り返すことになる。
【０１５１】
[タイミング（ｔ１０）]
そして、タイミング（ｔ９）以後、画像形成装置１００において更に印刷指示が発生せず、タイミング（ｔ１０）の時点にて、パワーオフモードに移行することになったものとする。画像形成装置１００が、スリープモードからパワーオフモードへ移行するタイミングは限定されないものであるが、例えば、図示しないオペレーションパネルにより任意に設定変更可能とするようにしてもよい。
【０１５２】
タイミング（ｔ１０）では、サブ制御部９０２より出力されるＰＯＷＥＲＯＦＦ−Ｐ信号がＬｏレベルからＨｉレベルに切り替わり、サブ制御ブロック９００のＤＣ５Ｖオンオフスイッチ９０１がオフとなり、電源部５００とサブ制御ブロック９００の大部分のＤＣ５Ｖ供給を遮断する。さらに、この時点で、ＤＣ５Ｖ出力（Ｗ１１２）及びＤＣ２４Ｖ出力（Ｗ１１３）が、メイン制御ブロック７００と遮断状態となるため、各モード中最も低負荷となる。したがって、メインＦＥＴゲート電圧（Ｗ１０７）におけるゲート出力オフ期間は各モード中最長となる。
【０１５３】
なお、その後のタイミング（ｔ１１）、（ｔ１２）の動作は、上述のタイミング（ｔ８）、（ｔ９）とほぼ同様であるため、詳細説明を省略する。タイミング（ｔ１１）、（ｔ１２）では、ＤＣ負荷電流が「スリープモード＞パワーオフモード」となる。したがって、タイミング（ｔ１１）、（ｔ１２）では、一次整流／平滑出力電圧（Ｗ１０３）の垂下傾きが「スリープモード＞パワーオフモード」となり、一次電流（ｒｍｓ）（Ｗ１０４）が「スリープモード＞パワーオフモード」となる点で、上述のタイミング（ｔ８）、（ｔ９）と異なる。
【０１５４】
（Ａ−３）第１の実施形態の効果
第１の実施形態によれば、以下のような効果を奏することができる。
【０１５５】
第１の実施形態の画像形成装置１００は、低消費モード時（この実施形態ではスリープモード又はパワーオフモード時）に、入力電圧検知結果（電圧検出出力信号（Ｗ１０５）のレベル）を元に、電源入力部のスイッチ（一次スイッチ５０１）のオンオフを切り替えている。これにより、画像形成装置１００では、長時間電源全ての通電を遮断することが可能となる。
【０１５６】
また、画像形成装置１００では、低消費モード時に、不要な電源回路の消費電力を下げることで、装置全体の電源効率を上げることができるという効果を奏する。
【０１５７】
具体的には、画像形成装置１００では、低消費モードの一つであるスリープモード時に、サブ制御ブロック９００の制御により、パワー部へのＤＣ２４Ｖ出力の遮断している。また、画像形成装置１００では、スリープモード時に、ＤＣ−ＤＣコンバータ１００００をオフ（ロジック部向けの電圧回路の動作を停止）し、一次−二次変換部５０４の電圧変換をロジック部向けの電圧（概ねＤＣ５Ｖ）に変換（パワー部向けの電圧をロジック部向けの電圧へ変換）してロジック部へバイパス出力（ＤＣ２４−５Ｖバイパス回路２００００によりバイパス出力）している。さらに、画像形成装置１００では、低消費モードの一つであるパワーオフモード時に、サブ制御ブロック９００の制御により、ＤＣ５Ｖオンオフスイッチ９０１をオフして、制御部側へのＤＣ５Ｖの供給を遮断している。
【０１５８】
（Ｂ）第２の実施形態
次に、本発明による画像形成装置の第２の実施形態を、図面を参照しながら詳述する。以下では、本発明の画像形成装置をプリンタに適用する例について説明する。
【０１５９】
（Ｂ−１）第２の実施形態の構成
第２の実施形態における画像形成装置１００概略断面図は、第１の実施形態と同様に図２を用いて説明することができる。
【０１６０】
第２の実施形態における画像形成装置１００の制御系の構成は、図１を用いて示すことができる。また、第２の実施形態における電源部５００（電源ブロック）の構成は、図７を用いて示すことができる。図７では、上述の図３と同一又は対応する部分に同一又は対応する符号を付している。以下では、第２の実施形態について第１の実施形態と異なる点についてのみ説明する。
【０１６１】
第２の実施形態では、電源部５００の電圧検出回路５０６の構成が第１の実施形態と異なっている。具体的には、第２の実施形態では、電圧検出回路５０６の出力となる電圧検出信号をメイン制御ブロック７００、サブ制御ブロック９００へも入力している点で第１の実施形態と異なっている。また、第２の実施形態の電圧検出回路５０６は、電圧検出二次回路５０９を用いて、メイン制御ブロック７００、及びサブ制御ブロック９００への信号供給を行う。さらに、第２の実施形態ではスイッチオンオフ回路のうちスイッチオンオフ一次回路５０７が省略されている点で第１の実施形態と異なっている。
【０１６２】
第２の実施形態の電圧検出回路５０６は、ツェナーダイオード６００１、トランジスタ７１０１、フォトダイオード７１０３、及び抵抗６００２、６００３、６００４を有している。図７では、第１の実施形態（図３）と同様に、電圧検出回路５０６に搭載するツェナーダイオード６００を１つとしているが複数としてもよい。電圧検出回路５０６におけるツェナーダイオードの数は、検出電圧に応じて適用するようにしても良い。トランジスタ７１０１はＮＰＮトランジスタである。フォトダイオード７１０３は、電圧検出二次回路５０９のフォトトランジスタ８１０２と一体型のフォトカプラである。電圧検出回路５０６には、トランジスタ７１０１のベースと電圧検出回路５０６の抵抗分圧出力が接続される。
【０１６３】
電圧検出二次回路５０９は、フォトダイオード７１０３と一体型のフォトカプラであるフォトトランジスタ８１０２を有している。電圧検出二次回路５０９は、フォトトランジスタ８１０２の出力を電圧検出信号（以下、「電圧低下検出−Ｐ信号」と呼ぶ）として、メイン制御ブロック７００、及びサブ制御ブロック９００へ出力する。
【０１６４】
（Ｂ−２）第２の実施形態の動作
次に、以上のような構成を有する第２の実施形態の画像形成装置１００の動作について、第１の実施形態と構成が異なっている部分を中心に説明する。
【０１６５】
図８は、第２の実施形態の画像形成装置１００の動作モードの遷移について示したフローチャートである。図８では、第２の実施形態の画像形成装置１００が、スリープモードへ移行し、復旧するまでの動作について示したフローチャートとなっている。
【０１６６】
画像形成装置１００では、パワーオフモードからの復旧はメカスイッチ１００１押下により行われるものとする。画像形成装置１００において、スリープモード等の他モードからの復旧は任意のボタン（例えば、図示しないメカスイッチ１００１以外のボタン押下）により行うようにしてもよい。この実施形態において、画像形成装置１００は、所定のボタン１００２（図１参照）を押下することにより、通常モードに復旧可能であるものとして説明する。以下では、このボタン１００２を「スリープ復旧ボタン」とも呼ぶものとする。
【０１６７】
まず、サブ制御部９０２により、ＳＬＥＥＰ−Ｐ信号（Ｗ１０８）がＬｏレベル出力からＨｉレベル出力に切り替ったものとする（ステップＳ１）。また、このとき、サブ制御部９０２の制御によりＤＣ５Ｖオンオフスイッチ９０１がオフし、メイン制御ブロック７００に供給されるＤＣ５Ｖ出力（Ｗ１１２）が遮断される。さらに、このとき、電源部５００のスイッチオンオフ二次回路５０８のトランジスタ８００１がオンし、リレーコイル５１００が通電状態となり、一次スイッチ５０１がオープンとなる。さらにまた、このとき、ＤＣ２４Ｖ出力（Ｗ１１３）がＤＣ５．２５Ｖ電圧へ変更され、ＤＣ−ＤＣコンバータがオフとなり、ＤＣ５Ｖ出力（Ｗ１１２）がＤＣ５．２５Ｖ出力となる。
【０１６８】
図８では、全ての処理を１つのフローチャートに図示しているが、サブ制御部９０２では、ステップＳ１以後、ステップＳ２からの処理（ステップＳ３−１、Ｓ３−２、Ｓ４−１、Ｓ５−１、Ｓ６−１、Ｓ６−３、Ｓ７−３の処理）と、ステップＳ２−４からの処理（ステップＳ２−４、Ｓ３−４、Ｓ４−４の処理）が並行して行われるものとして説明する。
【０１６９】
まず、サブ制御部９０２におけるステップＳ２からの処理について説明する。
【０１７０】
電圧検出二次回路５０９から出力される電圧低下検出−Ｐ信号により、電圧低下したか否かが、メイン制御ブロック７００とサブ制御ブロック９００へ出力される（ステップＳ２）。電圧低下検出−Ｐ信号で、電圧低下を検出したことを示す値が出力された場合、画像形成装置１００は、後述するステップＳ３−１から動作し、電圧低下を示す値が出力されない場合には、後述するステップＳ３−２から動作する。一次整流／平滑出力電圧（Ｗ１０３）が低下した場合、電圧検出回路５０６のトランジスタ７１０１がオフとなり、フォトダイオード７１０３がオフとなり、電圧検出二次回路５０９のフォトトランジスタがオフなる。つまり、電圧低下を示す電圧低下検出−Ｐ信号の極性は、Ｈｉレベル出力となる。
【０１７１】
上述のステップＳ２で、電圧検出二次回路５０９から出力される電圧低下検出−Ｐ信号が電圧低下を検出したことを示す値であった場合、サブ制御部９０２から出力されるＳＬＥＥＰ−Ｐ信号がＬｏレベル出力となる（ステップＳ３−１）。
【０１７２】
次に、サブ制御部９０２は、所定時間経過のカウントを行う（ステップＳ４−１）。この所定時間は任意であり、例えば、整流／平滑回路５０３の電解コンデンサ５０３の容量とＤＣ負荷電流、電源部５００の効率により決定するようにしてもよい。
【０１７３】
ステップＳ４−１の所定時間経過後、再度サブ制御部９０２により、上述のステップＳ２と同様に電圧低下検出（電圧検出二次回路５０９から出力される電圧低下検出−Ｐ信号のレベル確認）が行われる（ステップＳ５−１）。上述のステップＳ４０１で電圧低下が検出された場合、画像形成装置１００は後述するステップＳ６−１から動作し、そうでない場合には後述するステップＳ６−３から動作する。
【０１７４】
上述のステップＳ５−１で、電圧低下が検出された場合、電源部５００異常、サブ制御ブロック９００異常、一次スイッチ５０１異常、あるいは図示しない電源ケーブル断線異常、あるいは電源ケーブルが抜かれた等の異常が想定される。よって、この場合、サブ制御部９０２は、安全を考慮してエラー停止（動作停止）する制御を行う。具体的には、サブ制御部９０２は、ＳＬＥＥＰ−Ｐ信号をＨｉレベルとし、一次スイッチ５０１をオープンの状態とし、装置動作を停止させる。このとき、図示しないオペレーションパネルにエラー表示を行うようにしてもよい。この場合、一次スイッチ５０１をオープンにしている為、整流／平滑回路５０３の電解コンデンサ３００２が放電し、最終的には装置電源オフとなる。
【０１７５】
また、上述のステップＳ２で、電圧低下が検出されない場合、サブ制御部９０２は、所定時間（例えば、上述のステップＳ４−１と同様の時間）のカウント（ステップＳ３−２）を行った後上述のステップＳ６−１に進みエラー停止する制御処理を行うものとする。
【０１７６】
一方、上述のステップＳ５−１で、電圧低下が検出されない場合、各部の動作は正常と判断でき、サブ制御部９０２は、出力するＳＬＥＥＰ−Ｐ信号をＨｉレベル出力とする（ステップＳ６−３）。
【０１７７】
次に、サブ制御部９０２は、スリープ復旧ボタンが押下されているか否かを判断する（ステップＳ７−３）。スリープ復旧ボタンが押下されている場合には、サブ制御部９０２は、スリープモードからの復旧を判断し、後述するステップＳ８に進む。一方、スリープ復旧ボタンが押下されていない場合には、サブ制御部９０２は、上述のステップＳ２に戻って動作することになる。
【０１７８】
次に、画像形成装置１００におけるステップＳ２−４からの処理について説明する。
【０１７９】
上述のステップＳ１で、ＳＬＥＥＰ−Ｐ信号としてＨｉレベルが出力された後、つまりスリープモード移行後に、サブ制御部９０２は、所定時間のカウント（ステップＳ２−４）を行う。この場合の、所定時間は、他のモード移行時（例えば、待機、パワーセーブ、又はスリープモード移行時）と同様に任意であるが、例えば、図示しないオペレーションパネルにて、ユーザの操作に応じた時間を選択可能（例えば、分単位から時間単位までを選択可能）とするようにしてもよい。
【０１８０】
ステップＳ２−４で所定時間の経過をカウントした後、サブ制御部９０２は、ＰＯＷＥＲＯＦＦ−Ｐ信号としてＨｉレベル出力を行う（ステップＳ３−４）。これにより、サブ制御ブロック９００のＤＣ５Ｖオンオフスイッチ９０１がオフとなる。
【０１８１】
次に、サブ制御部９０２は、メカスイッチ１００１が押下されているか否かを判断する（ステップＳ４−４）。メカスイッチ１００１が押下されている場合には、サブ制御部９０２は、スリープモードからの復旧を判断し、後述するステップＳ８に進む。一方、メカスイッチ１００１が押下されていない場合には、サブ制御部９０２は、上述のステップＳ３−４に戻って動作することになる。ステップＳ３−４、Ｓ４−４の間は、ＤＣ負荷電流が装置動作モードの中で一番小さくなる。したがって、このとき、電源部５００の動作において、メインＦＥＴゲート電圧（Ｗ１０７）のゲートオフ出力期間が長くなる。
【０１８２】
上述のステップＳ７−３、又はステップＳ４−４で、スリープモード又はパワーオフモードからの復帰が判断された場合、サブ制御部９０２は、ウォームアップの制御（通常モードへの復旧の制御）を開始する。これにより、画像形成装置１００は、通常モードに復帰することになる。
【０１８３】
（Ｂ−３）第２の実施形態の効果
第２の実施形態によれば、第１の実施形態の効果に加えて以下のような効果を奏することができる。
【０１８４】
第２の実施形態では、図６、図７のように一部の構成を変更又は省略しても第１の実施形態と同様の効果を奏することができる。
【０１８５】
（Ｃ）第３の実施形態
次に、本発明による画像形成装置の第３の実施形態を、図面を参照しながら詳述する。以下では、本発明の画像形成装置をプリンタに適用する例について説明する。
【０１８６】
（Ｃ−１）第３の実施形態の構成
第３の実施形態における画像形成装置１００概略断面図は、第２の実施形態と同様に図２を用いて説明することができる。
【０１８７】
第３の実施形態における画像形成装置１００の制御系の構成は、第１の実施形態と同様に図１を用いて示すことができる。また、第３の実施形態における電源部５００（電源ブロック）の構成は、図９を用いて示すことができる。図９では、上述の図３と同一又は対応する部分に同一又は対応する符号を付している。以下では、第３の実施形態について第１の実施形態と異なる点についてのみ説明する。
【０１８８】
第３の実施形態では、スイッチオンオフ一次回路５０７とスイッチオンオフ二次回路５０８の構成が第２の実施形態と異なっている。第１の実施形態では、一次スイッチ５０１(リレー)をオンオフするリレーコイル５１００の駆動回路（以下、「リレーコイル駆動回路」とも呼ぶ）を二次側に備えている。これに対して、第３の実施形態では、リレーコイル駆動回路を一次側に備えている点で異なっている。具体的には、第３の実施形態のスイッチオンオフ一次回路５０７（リレー）は、スイッチオンオフ一次回路５０７により駆動するリレーコイル５１００ａにより駆動する。
【０１８９】
第３の実施形態のスイッチングオンオフ一次回路５０７は、トランジスタ７２０１、７２０２、７２０３、補助巻線整流平滑回路４００５、フォトトランジスタ８２０２及び抵抗８２０３、８２０４を有している。
【０１９０】
トランジスタ７２０１はＮＰＮトランジスタであり、電圧検出回路５０６の抵抗分圧出力がベースに接続される。
【０１９１】
トランジスタ７２０２はＮＰＮトランジスタであり、トランジスタ７２０１のコレクタに接続される。
【０１９２】
トランジスタ７２０３はＮＰＮトランジスタであり、トランジスタ７２０３のコレクタとリレーコイル５１００ａに接続される。
【０１９３】
フォトトランジスタ８２０２は、スイッチオンオフ二次回路５０８のフォトダイオード７３０３と一体型であり、エミッタはトランジスタ７２０３のベースに接続される。
【０１９４】
スイッチングオンオフ二次回路５０８は、トランジスタ８００１、フォトダイオード７３０３及び抵抗７３０４を有している。
【０１９５】
トランジスタ８００１はＮＰＮトランジスタである。フォトダイオード７３０３は前述の通りであり、カソードはトランジスタ８００１のコレクタに接続される。
【０１９６】
（Ｃ−２）第３の実施形態の動作
次に、以上のような構成を有する第３の実施形態の画像形成装置１００の動作を説明する。
【０１９７】
以下では、第３の実施形態の画像形成装置１００の動作について図１０のタイミングチャートを用いて説明する。
【０１９８】
図１０において、横軸は上述の図５と同様に時間である。また、図１０において、縦軸の各波形のうち（Ｗ１０１）〜（Ｗ１０５）、（Ｗ１０７）〜（Ｗ１１３）については上述の図５と同様のものを示している。図１０において、（Ｗ２０６）の波形だけが上述の図５と異なっている。図１０では、（Ｗ２０６）は、スイッチオンオフ一次回路５０７のトランジスタ７２０３のベース電圧（以下、「スイッチオフオン電圧」と呼ぶ）となっている。図１０のタイミングチャートでは、上述の図５と同様にパワーセーブモードからスリープモードとなり、さらにその後パワーオフモードとなる動作について示している。図１０は、例えば、画像形成装置１００において、パワーセーブモードに移行後、印刷が発生せず、パワーセーブモードが継続した場合の動作について説明している。
【０１９９】
[タイミング（ｔ１３）]
タイミング（ｔ１３）で、一次整流／平滑出力電圧（Ｗ１０３）がＶ１に到達すると、電圧検出出力信号（Ｗ１０５）がＨｉレベルからＬｏレベルに切り替わる。ここで、Ｖ１については、電源制御部４００４のブラウンアウトあるいはＵＶＰ（下限電圧保護）より高い電圧値となるように設定することで、「スイッチングを完全停止」及び「ＤＣ出力電圧の垂下」を抑制し、安定したＤＣ電圧を出力し続けることが可能となる。したがって、第３の実施形態の電圧検出回路５０６において、ツェナーダイオード６００１のツェナー電圧＝Ｖ１となるようにツェナーダイオードを選択することが望ましい。また、電圧検出回路５０６のツェナーダイオード６００１は１つの実装としてもよいが、直列に複数実装する構成としてもよい。
【０２００】
また、タイミング（ｔ１３）にて、電圧検出出力信号（Ｗ１０５）がＬｏレベルに切り替わり、スイッチオンオフ一次回路５０７のトランジスタ７２０１がオフとなり、トランジスタ７２０２がオンし、トランジスタ７２０３がオフし、強制的にリレーコイルが非通電状態となり、一次スイッチ５０１がオンする。つまり、この時点で、リレー接点（Ｗ１０２）がショート状態となり、一次スイッチ出力電圧（Ｗ１０１）が復旧し、一次整流／平滑出力電圧（Ｗ１０３）が上昇する。また、タイミング（ｔ１３）以後、一次電流（ｒｍｓ）（Ｗ１０４）は充電までの時間消費することになる。
【０２０１】
[タイミング（ｔ１４）]
タイミング（ｔ１４）の時点にて、一次整流／平滑出力電圧（Ｗ１０３）がＶ１を超えると、電圧検出出力信号（Ｗ１０５）がＨｉレベルに切り替わり、スイッチオンオフ一次回路５０７のトランジスタ７２０１がオンとなり、トランジスタ７２０２がオフし、トランジスタ７２０３がオンし、リレーコイルが通電状態となり、一次スイッチ５０１がオフとなる。
【０２０２】
第３の実施形態における画像形成装置１００の以後の動作（タイミング（１４ｔ）以後の動作）については、信号の極性などが異なるだけで、第１の実施形態（図５の動作）とほぼ同様の動作となるため、詳しい説明は省略する。
【０２０３】
（Ｃ−３）第３の実施形態の効果
第３の実施形態では、第１の実施形態の効果に加えて以下のような効果を奏することができる。
【０２０４】
第３の実施形態では、リレーコイル駆動回路を一次側に備えている。これにより、第３の実施形態では、一次スイッチ５０１（リレー）における一次と二次の絶縁距離が不要となり、第１の実施形態よりも容易に実現することが可能となる。
【０２０５】
（Ｄ）第４の実施形態
次に、本発明による画像形成装置の第４の実施形態を、図面を参照しながら詳述する。以下では、本発明の画像形成装置をプリンタに適用する例について説明する。
【０２０６】
第４の実施形態における画像形成装置１００概略断面図は、第１の実施形態と同様に図２を用いて説明することができる。
【０２０７】
第４の実施形態における画像形成装置１００の制御系の構成は、第１の実施形態と同様に図１を用いて示すことができる。また、第４の実施形態における電源部５００（電源ブロック）の構成は、図１１を用いて示すことができる。図１１では、上述の図３と同一又は対応する部分に同一又は対応する符号を付している。以下では、第４の実施形態について第１の実施形態と異なる点についてのみ説明する。
【０２０８】
第４の実施形態では、一次−二次変換部５０４の電源制御部４００４が、スイッチングオンオフ一次回路５０７のトランジスタ７００２エミッタ、及びフォトカプラ４００００を介してＳＬＥＥＰ−Ｐ信号の端子と接続している点で、第１の実施形態と異なっている。これは、上述の第２の実施形態及び第３の実施形態にも適用可能な構成であり、動作も同一である。
【０２０９】
第１の実施形態の動作（図５のタイミング（ｔ９）〜（ｔ１０）、（ｔ１１）〜（ｔ１２）区間）、及び第３の実施形態の動作（図１０の（ｔ１３）〜（ｔ１４）区間）では、リレー接点（Ｗ１０２）のショート時に、メインＦＥＴゲート電圧（Ｗ１０７）のオン（つまり電源スイッチング）が重なっていないが、タイミングによっては、リレー接点（Ｗ１０２）のショート時に電源スイッチングが発生することが有り得る。この場合、画像形成装置１００の消費電力アップとなるが、第４の実施形態では、電源制御部４００４が、電源スイッチング検出部４１００及びフォトカプラ４００００を介してＳＬＥＥＰ−Ｐ信号の端子と接続している。さらに、第３の実施形態では、電源制御部４００４をスイッチオンオフ一次回路５０７と接続させ、リレー接点（Ｗ１０２）のショート時にメインＦＥＴゲート電圧（Ｗ１０７）出力をＬｏレベルとすることで、消費電力の増大を抑制することができる。
【０２１０】
（Ｅ）他の実施形態
本発明は、上記の各実施形態に限定されるものではなく、以下に例示するような変形実施形態も挙げることができる。
【０２１１】
（Ｅ−１）上記の各実施形態では、本発明の画像形成装置をプリンタに適用した例について説明したが、その他の画像形成装置（例えば、コピー機、ＦＡＸ、複合機等）に適用するようにしてもよい。また、上記の各実施形態では、本発明の画像形成装置を、タンデム方式のカラー４色プリンタに適用する例について説明したが、画像形成部の具体的構成については限定されないものであり、例えば、カラー５色以上のプリンタ、カラー４色未満のプリンタ、モノクロプリンタ等に適用するようにしてもよい。
【符号の説明】
【０２１２】
１００…画像形成装置、１…給紙部、２…画像形成部、３…定着部、４…用紙排出部、２…画像形成部、２０１Ｋ、２０１Ｙ、２０１Ｍ、２０１Ｃ…画像形成ユニット、１１…感光ドラム、１２…帯電ローラ、１３…現像ローラ、１４…トナー供給ローラ、１５…ＬＥＤヘッド、１６…トナーカートリッジ、１７…転写ベルト、１８…転写ローラ、１９…定着ローラ、２０…ヒータ、２１…温度検出センサ、１０００…商用電源、１００１…メカスイッチ、５００…電源部、５０１…一次スイッチ、５０２…ヒータオンオフ回路、５００２…ＡＣゼロクロス検出回路、５０３…一次整流／平滑回路、５０４…一次−二次変換部、５０５…ＤＣ２４Ｖオンオフスイッチ、５０６…電圧検出回路、５０７…スイッチオンオフ一次回路、５０８…スイッチオンオフ二次回路、７００…メイン制御ブロック、７０１…メイン制御部、７０２…ＲＯＭ、７０３…ＲＡＭ、７０６…温度検出部、７０７…センサオンオフ回路、７０８…高圧電源、７０９…ヘッド制御部、７１０…アクチュエータ駆動部、８００…各種センサ、８０１…アクチュエータ、９００…サブ制御ブロック、９０１…ＤＣ５Ｖオンオフスイッチ、９０２…サブ制御部、１００１…メカスイッチ、２０００…保護素子、２００１…フィルタ、２００２…突入防止回路、２００３…二次整流／平滑回路、２００４…ＤＣ２４Ｖ保護回路、２００５…二次フィルタ、２００６…電圧フィードバック部、２１００…シャントレギュレータ、２２００…フォトカブラ、２３００…ＤＣ２４Ｖ設定電圧変換トランジスタ、２４００…ブラウンインアウトツェナーダイオード、２５００…前段トランジスタ、２６００…後段トランジスタ、２７００…バイパス回路ＦＥＴ、２８００…整流ダイオード、３００１…整流ダイオード、３００１ａ…ダイオード、３００２…電解コンデンサ、４００１…トランス、４００２…メインＦＥＴ、４００３…スナバ回路、４００４…電源制御部、４００５…補助巻線整流平滑回路、４００６…電圧クランプ回路、５１００…リレーコイル、５１０２…整流ダイオード、６００１…ツェナーダイオード、６００２、６００３…抵抗、７００１…前段トランジスタ、７００２…後段トランジスタ、７００３…フォトダイオード、７００４、７００５…抵抗、８００１…トランジスタ、８００２…フォトトランジスタ、９０００…ブラウンインアウト回路、１００００…ＤＣ−ＤＣコンバータ、２００００…ＤＣ２４−５Ｖバイパス回路、２０００１…フィルタ。
【図１】
0006453090.tif 000002
【図２】
0006453090.tif 000003
【図３】
0006453090.tif 000004
【図４】
0006453090.tif 000005
【図５】
0006453090.tif 000006
【図６】
0006453090.tif 000007
【図７】
0006453090.tif 000008
【図８】
0006453090.tif 000009
【図９】
0006453090.tif 000010
【図１０】
0006453090.tif 000011
【図１１】
0006453090.tif 000012